(57)【要約】【課題】  本発明の解決しようとする課題は、肌ざわり良好にして吸収した生理・尿などの外部洩出を確実に防止することができる新規な生理用，尿取り用の使い捨てパンツ，おむつ，ナプキンおよびパッドを提供することにある。【解決手段】  本発明は、生理と尿を内部の吸収材層に浸透させて漏れ出すことのない、従って周囲を匂わせず、かぶれ，褥瘡も生じない、子供用も含む昼夜兼用の使い捨てパンツ，生理用ナプキン，使い捨ておむつおよび尿取りパッドであって、前記の吸収材層を挟んで不滲透性シートにて完全防水形に内外両面を包み、且つ内側に肌ざわりの良い柔軟材面を重ね付けして尿などを該吸収材層内に流入させる前後に跨る長孔を設けたことを特徴とする生理用，尿取り用の使い捨てパンツ，おむつ，ナプキンおよびパッドにある。【選択図】  図１
2007125157.tif 000002
【特許請求の範囲】
【請求項１】
生理または尿を内部の吸収材層に浸透させて漏れ出すことのない、従って周囲を匂わせず、かぶれ，褥瘡も生じない、子供用も含む昼夜兼用の使い捨てパンツ，使い捨ておむつ生理用ナプキンおよび尿取りパッドであって、前記の吸収材層を挟んで不滲透性シートにて完全防水形に内外両面を包み、且つ内側に肌ざわりの良い柔軟材面を重ね付けして尿などを該吸収材層内に流入させる前後に跨る長孔を設けたことを特徴とする生理用，尿取り用の使い捨てパンツ，おむつ，ナプキンおよびパッド。
【請求項２】
長孔の後端は尾てい骨位置の手前部分まで延長するとともに該長孔に表出する吸収材層に臀部が触れないように絞細した三角縁とする請求項１に記載の使い捨てパンツ，おむつ，ナプキンおよびパッド。
【請求項３】
長孔の長さより短く幅をやや大とする補助ナプキンを形成し、該補助ナプキンの両側縁を前記長孔の孔縁下に入れるようにして交換自在に挿着する請求項１または２に記載の使い捨てパンツ，おむつ。
【発明の詳細な説明】
【技術分野】
【０００１】
本発明は、生理用，尿取り用の使い捨てパンツ，おむつ，ナプキンおよびパッド、詳しくは生理や尿などの洩れ出しを確実に防止し、よって使い心地よく、かぶれ，褥瘡の発症等を予防することのできる使い捨てパンツ，おむつ，ナプキンおよびパッドに関するものである。
【背景技術】
【０００２】
公開されている特開平８−２８０７３９号公報の使い捨てパンツは吸収部材の両側に立上がりギャザーを設け、特開２００５−２５３４８７号公報の使い捨ておむつは吸収体の両側に立体ギャザーを形成し、実公平６−２２３４５号公報の縦長の生理用ナプキンの両側に平行してサイドフラップ（土手）を設けて、生理，尿の洩れ出しを防止するようにしている。
【特許文献１】特開平８−２８０７３９号公報
【特許文献２】特開２００５−２５３４８７号公報
【特許文献３】実公平６−２２３４５号公報
【発明の開示】
【発明が解決しようとする課題】
【０００３】
しかしながら、前記の立上がりギャザー，立体ギャザー，サイドフラップなどは土手状に隆起するために着用に当って肌ざわりを不快とし、またこれらは両側に平行して設けているだけで両端に囲みがないこと、および生理，尿の吸収材が表出したままであるために依然として生理，尿などが洩れ出すという課題がある。また、吸収材に吸収されて拡がった温かい尿から発生する湯気水分が広範囲に臀部等を濡らして、かぶれ，褥瘡等の原因になっているという課題がある。
【課題を解決するための手段】
【０００４】
本発明は、生理または尿を内部の吸収材層に浸透させて漏れ出すことのない、従って周囲を匂わせず、かぶれ，褥瘡等も生じない、子供用も含む昼夜兼用の使い捨てパンツ，使い捨ておむつ，生理用ナプキンおよび尿取りパッドであって、前記の吸収材層を挟んで不滲透性シートにて完全防水形に内外両面を包み、且つ内側に肌ざわりの良い柔軟材面を重ね付けして尿などを該吸収材層内に流入させる前後に跨る長孔を設けて、また、長孔の後端は尾てい骨位置の手前部分まで延長するとともに該長孔に表出する吸収材層に臀部が触れないように絞細した三角縁とするようにして、かかる課題を解決したのである。
【発明の効果】
【０００５】
本発明は以上のようにして、使い捨てパンツ，おむつ，ナプキンおよびパッドの吸収材層部分の上下両面および周囲を不滲透性シートにて囲むことで吸収材層は完全防水形となるので、長孔からこの吸収材層内に滲透吸収した生理，尿などは吸収材層内にとどまって、周囲から外部への洩出が確実に防止され、匂わず、むれず、かぶれ，褥瘡などの発症を予防することができるという効果を生ずる。不滲透性シートによって蒸気体の通過も防止されるので、吸収材層内に浸透して拡がった温かい尿から発生する湯気状水分が臀部，仙骨周辺を濡らすことがないから、ムレを防ぎ、かぶれ，褥瘡の発症を予防するすることができるという効果を生ずる。上面の不滲透性シート上に柔軟材面を形成したので着用時の肌ざわりを良好に保つことができるという効果を生ずる。
【０００６】
また生理，尿を吸収材層内に流入させる部位を前後に跨る長孔としたので着用，装着が容易で、孔縁に生理，尿などが付着することも防止され、さらに長孔の後端を尾てい骨位置の手前部分まで延長するとともに該長孔に表出する吸収材層に臀部が触れないように絞細した三角縁としたので、使用者が横臥した状態で股部を伝わって低い位置の尾てい骨手前から落ちる生理，尿を三角縁に表出した吸収材層の上にすべて流れ落ちるようにして吸収するので、柔軟材面上に流れ落ちてとどまり肌に触れて不快としたりすることを防止することができ、しかも三角縁を臀部，尾てい骨周辺が吸収材層に触れないように絞細したので、かぶれ，褥瘡等の発症を確実に予防することができるという効果を生ずる。
【０００７】
パンツの長孔内に補助ナプキンを交換自在に挿着することにより、補助ナプキンだけの交換にてパンツの取替期間を長時間に延長し、パンツの使用枚数を節約することができるという効果を生ずる。
【発明を実施するための最良の形態】
【０００８】
本発明は、生理と尿を内部の吸収材層に浸透させて漏れ出すことのない、従って周囲を匂わせず、かぶれ，褥瘡も生じない、子供用も含む昼夜兼用の使い捨てパンツ，生理用ナプキン，使い捨ておむつおよび尿取りパッドであって、前記の吸収材層を挟んで不滲透性シートにて完全防水形に内外両面を包み、且つ内側に肌ざわりの良い柔軟材面を重ね付けして尿などを該吸収材層内に流入させる前後に跨る長孔を設けて、着用時の生理，尿などの外部洩出を確実に防止するようにしたのである。さらに該長孔の後端を尾てい骨の手前まで延長して絞細した三角縁に形成することにより、横臥姿勢時に尾てい骨手前に伝い落ちる生理，尿の吸収を確実にして、しかも臀部等が吸収材層に触れないようにしたのである。
【実施例１】
【０００９】
図１乃至図３は本発明の１実施例を示すもので、高分子水分吸収ポリマーなどにて形成する吸収材層１の内外両面をやわらかくフィット性にすぐれた防水フィルム等の不滲透性シート２ａ，２ｂで被覆して周囲のすべてを完全防水形に接着３し、内面の不滲透性シート２ａの全面に通気性と吸汗性があって肌ざわりを良好とする薄い柔軟材面４を設け、股間部分の内面の柔軟材面４と不滲透性シート２ａに連通して前後に跨る木の葉形，船底形様の長孔５を形成して、不滲透性シート２ａ，２ｂにて囲まれた完全防水形の吸収材層１内に生理，尿などを滲透させるようにした使い捨てパンツ，パンティ６とするのである。長孔５の後端は、着用時に尾てい骨の当たる手前部分まで延長して絞細した三角縁５ａに形成している。なお吸収材層１内に微粒な消臭剤を散在させて消臭機能を持たせたり、吸収材層１の長孔５に表出する面を水分の逆戻りを防止する一方向滲透性のフィルム等で被覆することもある。
【００１０】
このようにして作られた使い捨てパンツ，パンティ６の内面は肌ざわりの良好な柔軟材面４にて着心地がよく、生理，不意に漏れた尿などは長孔５から不滲透性シート２ａ，２ｂにて囲まれた完全防水形の吸収材層１内に滲透することとなり、着用者の動きにより圧迫が加わっても生理・尿などが周囲から外部に洩出することは確実に防止されることとなる。パンツ６の内部全面を吸収材層１として使用することができるので、吸収量を大とするかかわらず全体を薄く形成することができて、外出用，ナイトパンティとして昼夜を問わず違和感なく使用することができる。長孔５の後端を尾てい骨の当たる手前部分まで延長して絞細した三角縁５ａに形成したので、使用者が横臥した状態で尾てい骨手前の低い位置までつたって落ちる生理，尿は三角縁５ａに表出した吸収材層１の上にすべて流れ落ちて吸収され、柔軟材面４上に流れ落ちて不快とすることなく安心して眠ることができる。また三角縁５ａの幅を絞細し狭くして、臀部，尾てい骨の周辺が長孔５に表出する吸収材層１に接触しないようにしたので、かぶれ，褥瘡の発症を予防し、また褥瘡治療用のガーゼなどが濡れることも防止することができる。
【実施例２】
【００１１】
図３は本発明のパンティ６に補助ナプキン７を重ね装着して使用する例を示すもので、長孔５よりも前後に短くやや幅広とした補助ナプキン７を形成し、図３（ｂ）に示すように補助ナプキンａの両側を長孔５の孔縁下に入れて交換自在において重ね使いするのである。７ａは補助ナプキンａに取付けた引出し用の紐である。かくすることにより補助ナプキンａだけを容易に交換することができるので使いやすく、またパンティ６の取替期間を長時間に延長し、パンティの使用枚数を節約することができることとなる。
【実施例３】
【００１２】
図４は使い捨ておむつ８の１例を示し、図５は生理用ナプキン，尿取りパッド９の形成例を示すものであり、いずれの場合も吸収材層１の内外両面を不滲透性シート２ａ，２ｂにて洩れの生じない完全防水形にて被覆し、内面に前後に跨る長孔５を設けて生理，尿を吸収材層１内に浸透させて外部に漏れ出すことを確実に防止するようにした点は前例と同じである。なお使い捨ておむつ８の場合、吸収材層１に浸透して拡がった広い範囲の温かい尿から湯気水分が発生するが、おむつ８の内面を不滲透性シート２ａにて被覆して気体も通過しないようにしているので、湯気水分により臀部等が濡れて不快感を生じたり、かぶれ，褥瘡等の発症することを確実に防止することができることとなる。
【実施例４】
【００１３】
なお、使い捨てパンツ，パンティ６，おむつ８は成人用，幼児用として大小各種を用意して選択できるようにする。ナプキン，尿とりパッド９は図６に示すように一側を長くしたり、さらに幅広形に形成して尿などの吸収量を増大させたり、また小さく薄く形成するなど大きさ厚みの異なる多くを用意して、着用しやすいように選ぶことができるようにする。生理用ナプキン９においては図７に示すように吸収材層１の中央部分全長を膨出させて生理がより早く浸透するようにすることもある。
【産業上の利用可能性】
【００１４】
本発明は以上のようにして、使い捨てパンツ，おむつ，生理用ナプキン・尿とりパッドは使用感が爽快清潔で後始末が楽になるため広く汎用されることとなる。
【図面の簡単な説明】
【００１５】
【図１】本発明の使い捨てパンツの形成例を示す正面図と平面図
【図２】図１の（1）−（1）線拡大断面図
【図３】（ａ）は使い捨てパンティと補助ナプキンの併用例を示す平面図、（ｂ）は（3）−（3）線の拡大断面図
【図４】使い捨ておむつの形成例を示す展開平面図
【図５】生理用ナプキン，尿とりパッドの１例を示す平面図
【図６】同、（ａ）は一側を長くした例、（ｂ）は一側を長く幅広形に形成した例、（ｃ）は小さく薄く形成した例を示す平面図
【図７】生理用ナプキンの長孔内吸収材層の中央部分を膨出して形成した例を示す部分拡大断面図
【符号の説明】
【００１６】
１は吸収材層
１ａは膨出部分
２ａ，２ｂは不滲透性シート
３は接着部
４は柔軟材面
５は長孔
５ａは後端の絞細した三角縁
６は使い捨てパンツ
７は補助ナプキン
７ａは引出し用の紐
８は使い捨ておむつ
８ａは止着用テープ
９は生理用ナプキン，尿取りパッド
【図１】
2007125157.tif 000003
【図２】
2007125157.tif 000004
【図３】
2007125157.tif 000005
【図４】
2007125157.tif 000006
【図５】
2007125157.tif 000007
【図６】
2007125157.tif 000008
【図７】
2007125157.tif 000009